(57)【要約】      （修正有）【課題】クラブバケットのように吊具側に電源がない場合であっても、吊具の振れを適切に検出することのできる振れ検出装置及びその制御方法を提供する。【解決手段】振れ検出装置１が、トロリ２に設置されたレーザ距離計３と、吊具４に設置された少なくとも２つのターゲット５と、制御装置を有しており、制御装置が、２つのターゲット５の間の予め定められた水平距離Ｗ０と、レーザ距離計３により測定された２つのターゲット５の間の見かけ上の水平距離（Ｗｔ1＋Ｗｔ2）の差を算出する構成と、水平距離の差と、レーザ距離計３が２つのターゲット５の間の見かけ上の水平距離（Ｗｔ1＋Ｗｔ2）を測定する際に必要とした時間から、吊具４の水平方向における振れ速度を算出する構成を有する。【選択図】図２
2014189353.tif 000002
【特許請求の範囲】
【請求項１】
トロリに懸吊された吊具の振れを検出する振れ検出装置において、
前記振れ検出装置が、前記トロリに設置されたレーザ距離計と、前記吊具に設置された少なくとも２つのターゲットと、制御装置を有しており、
前記制御装置が、前記２つのターゲットの間の予め定められた水平距離と、前記レーザ距離計により測定された前記２つのターゲットの間の見かけ上の水平距離の差を算出する構成と、
前記水平距離の差と、前記レーザ距離計が前記２つのターゲットの間の見かけ上の水平距離を測定する際に必要とした時間から、前記吊具の水平方向における振れ速度を算出する構成を有していることを特徴とする振れ検出装置。
【請求項２】
前記振れ検出装置が、前記ターゲットを設置された水平維持機構を有しており、
前記水平維持機構が、前記吊具に対して回転自在に設置されていることを特徴とする請求項１に記載の振れ検出装置。
【請求項３】
トロリに懸吊された吊具の振れを検出する振れ検出装置であり、前記トロリに設置されたレーザ距離計と、前記吊具に設置された少なくとも２つのターゲットと、制御装置を有する振れ検出装置の制御方法であって、
前記レーザ距離計が、前記ターゲットまでの距離を測定する測定ステップと、
前記制御装置が、前記２つのターゲットの間の見かけ上の水平距離を算出する水平距離算出ステップと、
前記水平距離算出ステップで算出した見かけ上の水平距離と、前記２つのターゲットの間の予め定められた水平距離の差を算出する水平距離の差算出ステップと、
前記水平距離の差と、前記レーザ距離計が前記２つのターゲットの間の見かけ上の水平距離を測定する際に必要とした時間から、前記吊具の水平方向における振れ速度を算出する振れ速度算出ステップを有することを特徴とする制御方法。
【発明の詳細な説明】
【技術分野】
【０００１】
本発明は、吊具の水平方向の振れを検出する振れ検出装置及びその制御方法に関する。
【背景技術】
【０００２】
従来、コンテナターミナル等で、岸壁クレーン、門型クレーン及びストラドルキャリア等によりコンテナの荷役が行われている。これらのクレーンでコンテナの荷役を行う際、コンテナの振れ止めや荷役の自動化のために、吊具（以下、スプレッダという）の振れを検出する振れ検出装置が開示されている（例えば特許文献１参照）。
【０００３】
この振れ検出装置は、スプレッダに設置されたレーザ光源の光を、その上方のトロリに設置されたセンサで検知する構成を有している。この構成により、スプレッダの振れを抑制するための自動制御を行うことができる。
【０００４】
他方で、トロリに設置したカメラでスプレッダの画像を取得し、この画像の解析から、スプレッダの振れを検出する振れ検出装置が開示されている（例えば特許文献２参照）。この構成により、前述と同様、スプレッダの振れを抑制するための自動制御を行うことができる。
【０００５】
しかしながら、上記の振れ検出装置は、いくつかの問題点を有している。第１に、特許文献１に記載されたレーザ光源を使用した振れ検出装置は、吊具をクラブバケットとしたアンローダには、適用できないという問題を有している。これは、アンローダが、クラブバケット（吊具）側に電源を有しておらず、レーザ光源を設置することができないためである。
【０００６】
第２に、特許文献２に記載されたカメラを使用した振れ検出装置は、電源を有さないクラブバケットに適用することができるが、振れを抑制するための自動制御を適切に行うことが困難であるという問題を有している。これは、画像処理に時間がかかってしまうからである。
【０００７】
第３に、カメラを使用した振れ検出装置は、夜間に使用した場合、その検出精度が著しく低下するという問題を有している。これは、夜間作業用の光源等の使用に伴い吊具に影が発生し、この影が画像処理に悪影響を与えるからである。この問題は、雨天の際など、カメラに映る画像に影響がでる環境下においても同様に発生する。
【先行技術文献】
【特許文献】
【０００８】
【特許文献１】特開２０１２−０２５５０７号公報
【特許文献２】特開２００５−０４１６８９号公報
【発明の概要】
【発明が解決しようとする課題】
【０００９】
本発明は、上記の問題を鑑みてなされたものであり、その目的は、クレーン等の吊具の振れを検出する振れ検出装置及びその制御方法において、クラブバケットのように吊具側に電源がない場合であっても、吊具の振れを適切に検出することのできる振れ検出装置及びその制御方法を提供することにある。
【課題を解決するための手段】
【００１０】
上記の目的を達成するための本発明に係る吊具の振れ検出装置は、トロリに懸吊された吊具の振れを検出する振れ検出装置において、前記振れ検出装置が、前記トロリに設置されたレーザ距離計と、前記吊具に設置された少なくとも２つのターゲットと、制御装置を有しており、前記制御装置が、前記２つのターゲットの間の予め定められた水平距離と、前記レーザ距離計により測定された前記２つのターゲットの間の見かけ上の水平距離の差を算出する構成と、前記水平距離の差と、前記レーザ距離計が前記２つのターゲットの間の見かけ上の水平距離を測定する際に必要とした時間から、前記吊具の水平方向における振れ速度を算出する構成を有していることを特徴とする。
【００１１】
この構成により、振れ検出装置は、電源を有さないクラブバケット等の吊具であっても、その吊具の振れ速度を検出し、吊具の振れ止め等の自動制御を正確に行うことができる。また、荷役の自動化を実現することができる。更に、吊具が電源を有するスプレッダ等であっても、その振れ速度を低コストで測定することが可能となる。
【００１２】
上記の振れ検出装置において、前記振れ検出装置が、前記ターゲットを設置された水平維持機構を有しており、前記水平維持機構が、前記吊具に対して回転自在に設置されていることを特徴とする。
【００１３】
この構成により、振れ検出装置は、吊具の振れ速度を更に正確に検出することができ、吊具の振れ止め等の自動制御を正確に行うことができる。
【００１４】
上記の目的を達成するための本発明に係る吊具の振れ検出装置の制御方法は、トロリに懸吊された吊具の振れを検出する振れ検出装置であり、前記トロリに設置されたレーザ距離計と、前記吊具に設置された少なくとも２つのターゲットと、制御装置を有する振れ検出装置の制御方法であって、前記レーザ距離計が、前記ターゲットまでの距離を測定する測定ステップと、前記制御装置が、前記２つのターゲットの間の見かけ上の水平距離を算出する水平距離算出ステップと、前記水平距離算出ステップで算出した見かけ上の水平距離と、前記２つのターゲットの間の予め定められた水平距離の差を算出する水平距離の差算出ステップと、前記水平距離の差と、前記レーザ距離計が前記２つのターゲットの間の見かけ上の水平距離を測定する際に必要とした時間から、前記吊具の水平方向における振れ速度を算出する振れ速度算出ステップを有することを特徴とする。この構成により、前述と同様の作用効果を得ることができる。
【発明の効果】
【００１５】
本発明による振れ検出装置及びその制御方法によれば、クラブバケットのように吊具側に電源がない場合であっても、吊具の振れを適切に検出することのできる振れ検出装置及びその制御方法を提供することができる。
【図面の簡単な説明】
【００１６】
【図１】本発明に係る実施の形態の振れ検出装置の構成の概略を示した図である。
【図２】本発明に係る実施の形態の振れ検出装置による測定の様子を示した図である。
【図３】本発明に係る実施の形態の振れ検出装置による測定の様子を示した図である。
【図４】本発明に係る実施の形態の振れ検出装置による測定の様子を示した図である。
【図５】本発明に係る実施の形態の振れ検出装置による測定の様子を示した図である。
【図６】本発明に係る異なる実施の形態の振れ検出装置の構成の概略を示した図である。
【発明を実施するための形態】
【００１７】
以下、本発明に係る実施の形態の吊具の振れ検出装置及びその制御方法について、図面を参照しながら説明する。図１に、本発明に係る実施の形態の振れ検出装置１の構成の概略を示す。振れ検出装置１は、トロリ２に設置されたレーザ距離計３と、クラブバケット等の吊具４に設置された少なくとも２つのターゲット５と、制御装置６を有している。
【００１８】
このレーザ距離計３は、ミラーの回転等により放射状（扇形状）にレーザ光Ｌを順番に複数回射出し、その反射光を検知し、その経過時間からレーザ光Ｌが反射されたターゲット５までの距離を算出する構成を有している。ここで、矢印Ｓは、レーザ光Ｌの進行方向（スキャン方向）を示している。また、レーザ距離計３は、例えば、最大視野が１９０度、角度分解能が０．１２５〜１．０００度、スキャン周波数が２５〜１００Ｈｚである。
【００１９】
なお、ｘはトロリ２が走行する横行方向ｘを、ｚは鉛直方向ｚを示している。ここで、２つのターゲット５は、長尺の１つのターゲットで置き換えてもよい。
【００２０】
次に、振れ検出装置１の作動について説明する。図２に、停止している吊具４に対して、振れ検出装置１が測定を行う際の様子を示す。まず、振れ検出装置１のレーザ距離計３が、スキャン方向Ｓに沿って順次レーザ光を照射し、測定データを取得する（測定ステップ）。ここで、レーザ距離計３が取得するデータは、レーザ光を照射する角度αｔｎ（αｔ1、αｔ2）と、レーザ距離計３からターゲット５までの距離Ｌｔｎ（Ｌｔ1、Ｌｔ2）である。この角度αｔｎは、例えば垂直に対するなす角として得ることができ、時刻ｔｎの関数となる。また、距離Ｌｔｎは、レーザ距離計３がレーザ光を照射してから反射光を得るまでの時間から算出することができる。
【００２１】
次に、制御装置６が、取得したデータ（角度αｔｎ、距離Ｌｔｎ）をパラメータとして、以下の式により、２つのターゲット５の間の見かけ上の水平距離（Ｗｔ1＋Ｗｔ2）を算出する（水平距離算出ステップ）。
【数１】
2014189353.tif 000003
【００２２】
次に、制御装置６が、２つのターゲット５の間の予め定められた水平距離Ｗ０と、水平距離算出ステップで得られた２つのターゲット５の間の見かけ上の水平距離（Ｗｔ1＋Ｗ
ｔ2）の差ｄｎを、以下の式により算出する（水平距離の差算出ステップ）。
【数２】
2014189353.tif 000004
【００２３】
最後に、制御装置６が、水平距離の差ｄｎを、２つのターゲット５の間の見かけ上の水平距離を測定する際に必要とした時間（ｔ２−ｔ１）から、吊具の振れ速度Ｖｎを算出する（振れ速度算出ステップ）。
【数３】
2014189353.tif 000005
【００２４】
以上より、振れ検出装置１は、吊具４の横行方向ｘにおける振れ速度Ｖｎを算出することができる。具体的には、図２の吊具４は停止しているため、Ｗｔ１＋Ｗｔ２＝Ｗ０となり、ｄｎ＝０となり、振れ速度Ｖｎは０となる。
【００２５】
図３に、前述とは異なる状況における振れ検出装置１の作動について説明する。ここで、図３は、吊具４が図３右方に振れている状態を示している。まず、前述と同様、振れ検出装置１のレーザ距離計３が、スキャン方向Ｓに沿って順次レーザ光を照射し、測定データを取得する（測定ステップ）。このとき、時刻ｔ１における吊具４のターゲット５は、破線で示す位置にあるため、レーザ距離計３は、角度αｔ1及び距離Ｌｔ1を得ることができる。他方で、時刻ｔ２における吊具４のターゲット５は、振れ（移動）により実線で示す位置にあるため、レーザ距離計３は、角度αｔ2及び距離Ｌｔ2を得る。
【００２６】
次に、水平距離算出ステップにより、２つのターゲット５の間の見かけ上の水平距離（Ｗｔ1＋Ｗｔ2）を算出する。このとき、吊具４の移動によりターゲット５の位置が移動しているため、見かけ上の水平距離（Ｗｔ1＋Ｗｔ2）は、予め定められた水平距離Ｗ０より長くなる。そのため、水平距離の差算出ステップで求められるｄ１は、ｄ１＞０となる。
【００２７】
最後に、振れ速度算出ステップにより、吊具４の振れ速度Ｖ1を算出する。このとき、
Ｖ1＞０となり、吊具４が、図３右方に移動している際の速度Ｖ1を得ることができる。
【００２８】
図４に、前述とは異なる状況における振れ検出装置１の作動について説明する。ここで、図４は、吊具４が図４左方に振れている状態を示している。まず、前述と同様、振れ検出装置１のレーザ距離計３が、スキャン方向Ｓに沿って順次レーザ光を照射し、測定データを取得する（測定ステップ）。このとき、時刻ｔ１における吊具４のターゲット５は、破線で示す位置にあるため、レーザ距離計３は、角度αｔ1及び距離Ｌｔ1を得ることができる。他方で、時刻ｔ２における吊具４のターゲット５は、振れ（移動）により実線で示す位置にあるため、レーザ距離計３は、角度αｔ2及び距離Ｌｔ2を得る。
【００２９】
次に、水平距離算出ステップにより、２つのターゲット５の間の見かけ上の水平距離（Ｗｔ1＋Ｗｔ2）を算出する。このとき、吊具４の移動によりターゲット５の位置が移動しているため、見かけ上の水平距離（Ｗｔ1＋Ｗｔ2）は、予め定められた水平距離Ｗ０より短くなる。そのため、水平距離の差算出ステップで求められるｄ2は、ｄ2＜０となる。
【００３０】
最後に、振れ速度算出ステップにより、吊具４の振れ速度Ｖ2を算出する。このとき、
Ｖ2＜０となり、吊具４が、図４左方に移動している際の速度Ｖ2を得ることができる。
【００３１】
上記の構成により、本発明の振れ検出装置１及びその制御方法は、以下の作用効果を得ることができる。第１に、振れ検出装置１は、電源を有さないクラブバケット等の吊具であっても、その吊具の振れ速度を検出することができ、吊具の振れ止め等の自動制御を正確に行うことができる。これは、振れ検出装置１が、吊具４に設置した２つのターゲット５の間の見かけ上の水平距離（Ｗｔ1＋Ｗｔ2）から吊具４の振れ速度を算出することができるからである。
【００３２】
第２に、振れ検出装置１は、クレーン等による荷役の自動化を実現することができる。これは、吊具４の振れ速度Ｖｎを高い精度で且つ高い頻度で取得することができるからである。
【００３３】
第３に、振れ検出装置１は、夜間や悪天候の場合であっても、振れ速度Ｖｎを高い精度で取得することができる。レーザ距離計３で取得したデータから、振れ速度Ｖｎを算出することができるからである。
【００３４】
なお、吊具４の振れ速度Ｖｎは、トロリ２が横行方向ｘに移動中であっても、吊具４が下降中であっても取得することができる。図５を参照して、具体的に説明する。ここで、図５は、トロリ２が図５右方に横行（移動）し、且つ吊具４が下方に降下している状態を示している。このような場合であっても、振れ検出装置１は、２つのターゲット５の間の見かけ上の水平距離（Ｗｔ1＋Ｗｔ2）を算出することができる。そのため、振れ検出装置１は、トロリ２に対する吊具４の相対的な振れ速度Ｖｎを算出することができる。
【００３５】
なお、前述では、振れ検出装置１が測定する吊具４の振れ方向を、トロリ２の横行方向ｘとして説明したが、この横行方向ｘに直行する方向の振れ速度を測定するように構成することもできる。この場合は、２つのターゲットの設置方向と、レーザ距離計のスキャン方向Ｓを変更すればよい。
【００３６】
また、ターゲットは、ｘｚ平面において三角形を有する形状に限定されない。ターゲットは、吊具上に設置された２つのターゲットの間の距離が測定できる形状であればよい。
【００３７】
更に、振れ検出装置は、天井クレーン等その他の吊具を有する荷役機器にも適用することができる。
【００３８】
加えて、振れ検出装置は、スプレッダ等の電源を有する吊具に採用してもよい。この構成により、振れ速度を測定する精度を向上し、且つ振れ検出装置のコストを抑制することができる。
【００３９】
図６に、本発明に係る異なる実施の形態の吊具の振れ検出装置１Ａの概略を示す。振れ検出装置１Ａは、トロリ２に設置されたレーザ距離計３と、クラブバケット等の吊具４Ａに設置されたターゲット５Ａと、制御装置６を有している。このターゲット５Ａは、水平維持機構１１を介して吊具４Ａに設置されている。水平維持機構１１は、棒状の本体１２と、本体１２の両端に設置されたウェイト１３を有している。また、水平維持機構１１は、吊具４Ａに対して回転自在に設置されている。この水平維持機構１１は、吊具４Ａが水平に振れるのではなく、図６に示すように回転を伴う場合であっても、ウェイト１３により吊具４Ａから独立して水平を維持するように構成されている。
【００４０】
この構成により、振れ検出装置１Ａは、吊具の振れ速度Ｖｎを更に正確に検出することができ、吊具の振れ止め等の自動制御を正確に行うことができる。これは、吊具４Ａに回転が生じた場合であっても、ターゲット５Ａに傾きが生じ、２つのターゲット５Ａの間の見かけ上の水平距離（Ｗｔ1＋Ｗｔ2）が短くなるような事態を避けることができるからである。つまり、振れ検出装置１Ａによる測定誤差の発生を抑制することができる。
【符号の説明】
【００４１】
１、１Ａ      振れ検出装置
２            トロリ
３            レーザ距離計
４、４Ａ      吊具
５、５Ａ      ターゲット
６            制御装置
１１          水平維持機構
１２          本体
１３          ウェイト
Ｗ０          予め定められた水平距離
Ｗｔ1＋Ｗｔ2  見かけ上の水平距離
ｄｎ          水平距離の差
ｔ２−ｔ１    測定する際に必要とした時間
Ｖｎ          振れ速度
【図１】
2014189353.tif 000006
【図２】
2014189353.tif 000007
【図３】
2014189353.tif 000008
【図４】
2014189353.tif 000009
【図５】
2014189353.tif 000010
【図６】
2014189353.tif 000011